(57)【要約】【課題】１つのセンサで入室検知、人体検知、着座検知を行うことを可能とし、デザイン性が高く、また組立性の高いトイレ装置を提供することを目的とする。【解決手段】便器後部上方に設置される本体部と、前記本体部に軸支され、開閉可能な便座と、前記本体部に軸支され、開閉可能な便ふたと、前記本体部の内部に配置され、人体の局部を洗浄可能な人体洗浄ノズルと、を備えたトイレ装置であって、前記トイレ装置は、トイレルームに入室した人体を検知する入室検知と、男子小時の静止した人体を検知する人体検知と、前記便座に人体が着座したことを検知する着座検知と、を行う１つのサーモパイルセンサを有することを特徴とするトイレ装置である。【選択図】図２
2014189995.tif 000002
【特許請求の範囲】
【請求項１】
便器後部上方に設置される本体部と、
前記本体部に軸支され、開閉可能な便座と、
前記本体部に軸支され、開閉可能な便ふたと、
前記本体部の内部に配置され、人体の局部を洗浄可能な人体洗浄ノズルと、
を備えたトイレ装置であって、
前記トイレ装置は、トイレルームに入室した人体を検知する入室検知と、男子小時の静止した人体を検知する人体検知と、前記便座に人体が着座したことを検知する着座検知と、を行う１つのサーモパイルセンサを有することを特徴とするトイレ装置。
【請求項２】
前記トイレルームの壁面に配置され、前記人体洗浄ノズルを操作可能な操作部と、を有し、
前記サーモパイルセンサは前記操作部に配置されていることを特徴とする請求項１に記載のトイレ装置。
【発明の詳細な説明】
【技術分野】
【０００１】
本発明の態様は、外観を向上し、組立性も向上できるトイレ装置に関する。
【背景技術】
【０００２】
従来トイレ装置では人体検知用のセンサとして３つのセンサを有する。人体がトイレルームに入室したことを検知し、便ふたを自動で開ける等の機能を開始するためのセンサ。
人体が便座に着座したことを検知し、おしり洗浄等の主要機能を開始するためのセンサ。
便座・便ふたを開した状態で用を足す男子小時に人がトイレ装置の前にいることを検知し、便座・便ふたが自動で閉まることを禁止する等のためのセンサである。（特許文献１）
【０００３】
入室検知用のセンサは動体を検知する性能が必要で着座検知は静体を検知する性能が必要で便座・便ふたの自動閉を禁止するには静体を検知する性能が必要である。着座検知と便座・ふたの自動閉を禁止するセンサはともに静体を検知できる性能があれば良いが、
トイレ装置の状態が便座閉・便ふた開と便座開・便ふた開の両方を状態で検知する必要がある。従来静体検知には測距式のセンサを用いていたが、測距式はビーム上の非常に狭いエリアとなるため、それぞれの状態の人体を検知するには製品形状上困難である。その他着座検知の手段として荷重検知や静電容量式などの手段があるが、それらのセンサは
近距離もしくは接しなければ人体検知は不可能である。そのため、従来のトイレ装置は３つのセンサを有している。
【０００４】
しかしながら、従来とのトイレ装置は３つのセンサを有しているため、センサ部が３箇所露出しており、製品デザイン上の制約や製造における組立性に問題がある。
【先行技術文献】
【特許文献】
【０００５】
【特許文献１】特開２０１２−２５１３３７号公報
【発明の概要】
【発明が解決しようとする課題】
【０００６】
本発明は、かかる課題の認識に基づいてなされたものであり、１つのセンサで入室検知、人体検知、着座検知を行うことを可能とし、デザイン性が高く、また組立性の高いトイレ装置を提供することを目的とする。
【課題を解決するための手段】
【０００７】
第１の発明は、便器後部上方に設置される本体部と、前記本体部に軸支され、開閉可能な便座と、前記本体部に軸支され、開閉可能な便ふたと、前記本体部の内部に配置され、人体の局部を洗浄可能な人体洗浄ノズルと、を備えたトイレ装置であって、前記トイレ装置は、トイレルームに入室した人体を検知する入室検知と、男子小時の静止した人体を検知する人体検知と、前記便座に人体が着座したことを検知する着座検知と、を行う１つのサーモパイルセンサを有することを特徴とするトイレ装置である。
【０００８】
このトイレ装置によれば、熱を感知するサーモパイルセンサは静体・動体を検知できる。そのため、１つのサーモパイルセンサで入室検知、人体検知、着座検知ができる。結果、デザイン性が高く、また組立性の高いトイレ装置を提供することができる。
【０００９】
また、第２の発明は、前記トイレルームの壁面に配置され、前記人体洗浄ノズルを操作可能な操作部と、を有し、前記サーモパイルセンサは前記操作部に配置されていることを特徴とするトイレ装置である。
【００１０】
このトイレ装置によれば、１つのサーモパイルセンサはトイレルーム内の壁面に配置された操作部に配置されている。そのため、サーモパイルセンサが入室検知、人体検知、着座検知をする際に便座、または便ふたの開閉状態の影響を受けない。そのため、１つのサーモパイルセンサで入室検知、人体検知、着座検知を精度よく検知することができる。また、１つのサーモパイルセンサで入室検知、人体検知、着座検知ができるので、デザイン性が高く、また組立性の高いトイレ装置を提供することができる。
【発明の効果】
【００１１】
本発明の態様によれば、１つのサーモパイルセンサで入室検知、人体検知、着座検知を行うことを可能とし、デザイン性が高く、また組立性の高いトイレ装置を提供される。
【図面の簡単な説明】
【００１２】
【図１】本発明の実施の形態にかかるトイレ装置を例示する斜視模式図である。
【図２】本発明の実施の形態にかかるサーモパイルセンサの入室検知を説明するための側面図である。
【図３】本発明の実施の形態にかかるサーモパイルセンサの人体検知を説明するための側面図である。
【図４】本発明の実施の形態にかかるサーモパイルセンサの着座検知を説明するための側面図である。
【発明を実施するための形態】
【００１３】
以下、本発明の実施の形態について図面を参照しつつ説明する。なお、各図面中、同様の構成要素には同一の符号を付して詳細な説明は適宜省略する。   
【００１４】
図１は本発明の実施の形態にかかるトイレ装置を例示する斜視模式図である。図２は本発明の実施の形態にかかるサーモパイルセンサの入室検知を説明するための側面図である。図３は本発明の実施の形態にかかるサーモパイルセンサの人体検知を説明するための側面図である。図４は本発明の実施の形態にかかるサーモパイルセンサの着座検知を説明するための側面図である。
【００１５】
図１に示すように、本発明の実施形態におけるトイレ装置１は、トイレルームに配置され、トイレルームの壁面に配置された操作部であるリモコン装置２を有する。   
【００１６】
トイレ装置１は、便器３後方上方に設置され、各種機能を制御するための制御部等を有するトイレ装置本体部４と、トイレ装置本体部４に回動可能に軸支された便座５と、同じくトイレ装置本体部４に回動可能に軸支された便ふた６と、を備えている。   
【００１７】
そしてリモコン装置２には、サーモパイルセンサ１００が配置されている。
【００１８】
そして、このトイレ装置１はサーモパイルセンサ１００により使用者がトイレルームに入室したことを検知すると、便ふた６を自動的に開放状態にすると共に、使用者を検知しなくなると、便ふた６を自動的に閉塞状態とする便ふた自動開閉ユニット（図示しない）による便ふた自動開閉機能を備えている。   
【００１９】
また、このトイレ装置１は使用者の局部を洗浄する人体洗浄ノズルユニット（図示しない）による局部洗浄機能を備えており、局部を洗浄する際には、図１に示す人体洗浄ノズル８から洗浄水を使用者の局部へ向けて噴射することにより、局部洗浄を行う。   
【００２０】
他、このトイレ装置１は便座５表面の温度を使用者が快適と感じる温度となるように制御する便座暖房ユニットによる便座暖房機能や、節電機能等、様々な機能を備えている。
【００２１】
特に、このトイレ装置１はトイレ装置本体部４の内部にリモコン装置２からの制御信号を受信する無線信号受信手段を備えている。   
【００２２】
そして、無線信号受信手段は、リモコン装置２から受信した制御信号に対応した各種機能を操作できる。例えばリモコン装置２から受信した制御信号に対応して人体洗浄ノズルを操作できる。     
【００２３】
次に図２に基づき、サーモパイルセンサ１００の入室検知を説明する。
【００２４】
本実施形態では、リモコン装置２に配置されたサーモパイルセンサ１００はリモコン装置２が配置する壁面と対面する壁面方向に検知エリアを構成する。検知エリアは４×４の１６エリアで構成する。検知エリアの前後方向はトイレルーム入口から一部便座、便ふたにかかる範囲で構成する。また、検知エリアの上下方向は便器上面から使用者の平均的な身長に入る範囲で構成する。ただし、検知エリア範囲はこれに限定されるものではなく、例えば、３×３、１６×１６等でもセンサとして機能できれば、問題ない。
【００２５】
サーモパイルはゼーベック効果を利用した温度検知センサである。例として熱電対があり、ゼーベック効果を利用し、異種金属間で発生した起電力から対象物の温度を算出する。サーモパイルも同様に異種金属間で発生した起電力から対象物の温度を算出するが、熱電対が対象物に触れている必要があるのに対して、サーモパイルはレンズを利用し、所定のエリアの温度測定ができるという特徴を持つ。
【００２６】
図２に基づき、サーモパイルセンサ１００の入室検知を説明する。本実施形態では、エリアＡ〜Ｄのどれかに体温相当の温度が検知された場合、入室検知を行う。
【００２７】
本実施形態では、入室検知後、便ふたの自動開動作を行い、スムーズに用を足すことができる。
【００２８】
次に図３に基づき、サーモパイルセンサ１００の人体検知を説明する。本実施形態では、エリアＩ〜Ｌのどれかに体温相当の温度が検知された場合、人体検知を行う。
【００２９】
本実施形態では、人体検知後、便座、便ふたを自動で閉まることを禁止し、所定のエリアに体温相当の温度がないと判断したときに便座、便ふたを自動で閉めることで、男子小時に便座、便ふたに小水がかかることを防止する。
【００３０】
次に図４に基づき、サーモパイルセンサ１００の着座検知を説明する。本実施形態では、エリア０〜Ｐのどれかに体温相当の温度が検知された場合、着座検知を行う。
【００３１】
本実施形態では、着座検知することで、使用者の局部を洗浄する人体洗浄ノズルユニットをリモコン装置２を使用し、操作することが可能となる。
【００３２】
本実施形態によれば、１つのサーモパイルセンサで入室検知、人体検知、着座検知を行うことを可能とし、デザイン性が高く、また組立性の高いトイレ装置を提供することができる。
【符号の説明】
【００３３】
１・・・トイレ装置、２・・・リモコン装置、３・・・便器、４・・・トイレ装置本体、５・・・便座、６・・・便ふた、８・・・人体洗浄ノズルユニット、１００・・・サーモパイルセンサ
【図１】
2014189995.tif 000003
【図２】
2014189995.tif 000004
【図３】
2014189995.tif 000005
【図４】
2014189995.tif 000006